(57)【要約】【課題】    ゴンドラ７の降下時に、ゴンドラ７と側板３内面側との水平離隔距離を確保して、ポンツーン内周部の浮屋根上にゴンドラを載置させる際の作業員の労力を軽減する可搬式ゴンドラの離隔距離保持装置を提供する。【解決手段】    吊り支持装置８と吊りワイヤ９にて浮屋根式タンク１の側板３内面に吊り下げたゴンドラ７に設け、側板３内面と接触する側にガイドローラ１３、１５を装着し、ゴンドラ７と側板３内面側との水平離隔距離を確保する際に伸縮する伸縮機構１２ａ、１４ａと、当該伸縮機構１２ａ、１４ａを水平方向に伸縮するための操作部１２ｂ、１４ｂとを備えていることを特徴とする。【選択図】  図４
2016030986.tif 000002
【特許請求の範囲】
【請求項１】
吊り支持装置８と吊りワイヤ９にて浮屋根式タンク１の側板３内面に吊り下げたゴンドラ７に設け、側板３内面と接触する側にガイドローラ１３、１５を装着し、ゴンドラ７と側板３内面側との水平離隔距離を確保する際に伸縮する伸縮機構１２ａ、１４ａと、当該伸縮機構１２ａ、１４ａを水平方向に伸縮するための操作部１２ｂ、１４ｂとを備えていることを特徴とする可搬式ゴンドラの離隔距離保持装置。
【請求項２】
前記ゴンドラ７の下部に、ゴンドラ７と側板３内面側との水平離隔距離およびゴンドラ７下部とセキ板５上部間の鉛直離隔距離を検出し、ゴンドラ７に搭乗している作業員に伸縮機構１２ａ、１４ａを操作する時期を警報音及び又は警光灯で報知する警報装置１７を備えていることを特徴とする請求項１記載の可搬式ゴンドラの離隔距離保持装置。
【発明の詳細な説明】
【技術分野】
【０００１】
この発明は、浮屋根式タンクの側板内面工事で使用する可搬式ゴンドラの離隔距離保持装置に関するものである。
【背景技術】
【０００２】
図８に示すように、浮屋根式タンクの側板内面の検査や補修、或いは塗装に際し、仮設足場を設置できない場合や、足場を設置する時間やコストの削減を図る場合には、可搬式ゴンドラが使用されている。
１は浮屋根式タンク、２は底板、３は側板、４は浮屋根、５はセキ板、６は付属品である。浮屋根４は、底板２上に立設された架台１８上に載置する。７はゴンドラ、８は吊り支持装置、９は吊りワイヤ、１０は発電機、１１はケーブルを示す。
また、図示はしないが、ゴンドラ７に搭乗している作業員が安全帯をかけるための親綱を側板３上部から浮屋根４上に向かって垂直に吊り下げて設置する。
ゴンドラ７は、側板３内面側に垂直方向に上下動可能に吊り下げて設置して、側板３内面工事を行うために使用するものである。
ゴンドラ７には一般的に、壁面と接触する部分に揺れを防止するためのガイドローラーや壁面吸着装置等を設けている。
このゴンドラ７から下方に位置する側板３内面とセキ板５間の浮屋根４上には、雨よけ板や配管等の付属品６を設けている。
以下、浮屋根４のポンツーン１６上のセキ板５を境界として、側板３内面側をポンツーン１６の外周部、タンク中心側をポンツーン１６の内周部と称す。
ゴンドラ７を降下して浮屋根４上に載置する場合、配管等の付属品６上へゴンドラ７を載置することを避けると共に、ゴンドラ７を横方向へ移設する作業を円滑に行うために、ポンツーン１６外周部側に位置するゴンドラ７を人力により側板３内面側との水平離隔距離を大きくする方向に引き寄せて、ゴンドラ７をセキ板５の上方を跨いで降下して付属品６の無いポンツーン１６内周部へ載置する。
【０００３】
ゴンドラを架設して作業を行う出願技術としては、例えば、特許文献１の特開平７−１０９８３１号公報に開示された「ゴンドラの安定保持装置」の発明がある。この発明は、ゴンドラの風等による横揺れや転倒を防止するための装置で、先端部に吸着パッドを有するシリンダ−をゴンドラの側面に装着し、これを構築物の壁面に吸着してゴンドラの昇降を安定して行う装置である。
【０００４】
特許文献２の特開２０００−７３６０２号公報に「二重殻タンクの内槽側板構築法」の発明がある。この発明は、外槽屋根の外周縁内側下部に円周方向に沿って外側レールを設け、この外側レールに内外槽間に配置する外側ゴンドラを円周方向に走行自在で垂直方向に上下動可能に吊り下げて設置し、このゴンドラを利用して内槽側板の組立てと溶接と検査とを施工するものである。
【先行技術文献】
【特許文献】
【０００５】
【特許文献１】特開平７−１０９８３１号公報
【特許文献２】特開２０００−７３６０２号公報
【発明の概要】
【発明が解決しようとする課題】
【０００６】
従来例の図８に示すように、ゴンドラ７を浮屋根４上に載置する際、浮屋根４のポンツーン１６の外周部の配管等の付属品６に当たらないように、側板３内面からの水平離隔距離を確保して、ゴンドラ７をセキ板５の上方を跨いで降下して、付属品６のないポンツーン１６内周部へ載置することが必要である。
また、従来のゴンドラ７には一般的に、壁面と接触する部分において揺れを防止するためのガイドローラー、壁面吸着装置等を設けているが、壁面との水平離隔距離を確保するための装置は設けていない。
そのため、ポンツーン１６の外周部のゴンドラ７をポンツーン１６の内周部へ引き寄せる作業は、ゴンドラ７を浮屋根４上の作業員の手が届く高さまで降下して、作業員の人力により、ゴンドラ７を吊りワイヤ９や親綱等の線材と共に側板３内面側からタンク中心方向に引き寄せて、浮屋根４のポンツーン１６内周部上へ載置している。
しかし、人力でゴンドラ７を側板３内面から水平離隔距離を確保する方向に引き寄せる作業は労力を要するうえ、風が強い場合には、ゴンドラ７が揺れて、ゴンドラ７の動きが不安定となり、危険である。
【０００７】
特許文献１の「ゴンドラの安定保持装置」の発明は、ゴンドラの風等による横揺れや転倒を防止するための装置で、ゴンドラの側面に装着した吸着パッドを構築物の壁面に吸着してゴンドラの昇降を安定して行う装置であり、ゴンドラを降下する際に、側板内面側からの水平離隔距離を確保できるようにすることを目的とした装置ではない。
【０００８】
特許文献２の「二重殻タンクの内槽側板構築法」の発明は、外槽屋根の外周縁内側下部に円周方向に沿って設けた外側レールに、ゴンドラを円周方向に走行自在で垂直方向に上下動可能に吊り下げて設置し、ゴンドラにタンク内槽側板と接触する吸着接続具や振れ止め具を設け、タンク内槽側板構築作業の能率や安全性を向上する工法であり、ゴンドラ降下時に側板内面側からの水平離隔距離を確保し、ゴンドラを浮屋根上に載置する際の労力や危険を軽減するための装置に関するものではない。
【０００９】
この発明の目的は、上述のような従来技術が有する問題点に鑑みてなされたもので、ゴンドラ７の降下時に、ゴンドラ７と側板３内面側との水平離隔距離を確保して、ポンツーン内周部の浮屋根上にゴンドラを載置する際の作業員の労力を軽減する可搬式ゴンドラの離隔距離保持装置を提供する。
【課題を解決するための手段】
【００１０】
請求項１記載の可搬式ゴンドラの離隔距離保持装置は、吊り支持装置８と吊りワイヤ９にて浮屋根式タンク１の側板３内面に吊り下げたゴンドラ７に設け、側板３内面と接触する側にガイドローラ１３、１５を装着し、ゴンドラ７と側板３内面側との水平離隔距離を確保する際に伸縮する伸縮機構１２ａ、１４ａと、当該伸縮機構１２ａ、１４ａを水平方向に伸縮するための操作部１２ｂ、１４ｂとを備えていることを特徴とする。
【００１１】
請求項２記載の可搬式ゴンドラの離隔距離保持装置は、請求項１記載の構成に加え、前記ゴンドラ７の下部に、ゴンドラ７と側板３内面側との水平離隔距離およびゴンドラ７下部とセキ板５上部間の鉛直離隔距離を検出し、ゴンドラ７に搭乗している作業員に伸縮機構１２ａ、１４ａを操作する時期を警報音及び又は警光灯で報知する警報装置１７を備えていることを特徴とする。
【発明の効果】
【００１２】
請求項１記載の可搬式ゴンドラの離隔距離保持装置は、吊り支持装置８と吊りワイヤ９にて浮屋根式タンク１の側板３内面に吊り下げたゴンドラ７に設け、側板３内面と接触する側にガイドローラ１３、１５を装着し、ゴンドラ７と側板３内面側との水平離隔距離を確保する際に伸縮する伸縮機構１２ａ、１４ａと、当該伸縮機構１２ａ、１４ａを水平方向に伸縮するための操作部１２ｂ、１４ｂとを備えているので、前記伸縮機構１２ａ、１４ａを利用して側板３内面側との水平離隔距離を確保しながらゴンドラ７をセキ板５の上方を跨いで降下して容易にゴンドラ７を付属品６が無いポンツーン１６の内周部に載置することが可能となり、ゴンドラ７を降下する際の作業員の労力を軽減し、その後のゴンドラ７の移設作業を付属品６の無い安全な場所で行うことを可能とするため、作業員が付属品６やゴンドラ７に接触して怪我をする可能性が低くなる。
次の作業箇所へ円滑にゴンドラ７を移設することができ、ゴンドラ７の移設作業に掛かる労力や危険を減らすことが可能となる。
離隔距離保持装置は、先端部に柔軟性を有すガイドローラ１３、１５を有すため、ゴンドラ７が風によって揺れたり振動しても、ガイドローラ１３、１５が揺れや振動を吸収して離隔距離保持装置を安定保持するため、操作部１２ｂ、１４ｂを常に安全に操作することが可能となる。
また、側板３内面に接するガイドローラ１３、１５を、弾力性を有する合成ゴム材や合成樹脂材等で形成しているため、側板３内面の表面を傷つけずに、ゴンドラ７を円滑に降下することが可能となる。また、ガイドローラ１３、１５を上記の部材で形成することにより、風による揺れや振動が吸収されて、ゴンドラ７の動きが安定し、ゴンドラ７上での作業を安全に行うことが可能となる。
【００１３】
請求項２記載の可搬式ゴンドラの離隔距離保持装置は、請求項１記載の構成に加え、前記ゴンドラ７の下部に、ゴンドラ７と側板３内面側との水平離隔距離およびゴンドラ７下部とセキ板５上部間の鉛直離隔距離を検出し、ゴンドラ７に搭乗している作業員に伸縮機構１２ａ、１４ａを操作する時期を警報音及び又は警光灯で報知する警報装置１７を備えているので、ゴンドラ７に搭乗している作業員が警報装置１７の警報音や警光灯を確認した段階で操作部１２ｂ、１４ｂを操作し、側板３内面側との水平離隔距離を確保することが可能となり、ゴンドラ７に搭乗している作業員が操作部１２ｂ、１４ｂを操作する時期を間違えることなく、ゴンドラ７とセキ板５を干渉せずに安全にゴンドラ７を降下することが可能となる。
離隔距離保持装置１２、１４に警報装置１７を備えることにより、当該離隔距離保持装置１２、１４の扱いに慣れていない初心者の者も容易に操作することが可能となる。
また、離隔距離保持装置１２、１４に警報装置１７を備えることにより、万が一ゴンドラ７と側板３内面またはセキ板５が接触しそうになっても、警報装置１７が警報音や警光灯を発して作業員に報知するので、ゴンドラ７と側板３またはセキ板５が接触して損傷したり、ゴンドラ７に搭乗している作業員が衝撃により怪我をすることを未然に防止することが可能となる。
【図面の簡単な説明】
【００１４】
【図１】この発明に係る可搬式ゴンドラの離隔距離保持装置の設置状況を示す全体説明図である。
【図２】図１の上部近傍を示す側面図である。
【図３】離隔距離保持装置を使用してゴンドラをポンツーン上に載置する順序を示す側面図である。
【図４】ゴンドラをポンツーン上に載置する状況の斜視説明図である。
【図５】離隔距離保持装置の第１の実施形態例の構造を示す説明図である。
【図６】離隔距離保持装置の第２の実施形態例で、側板上部にゴンドラが位置する説明図である。
【図７】離隔距離保持装置の第２の実施形態例の構造を示す説明図である。
【図８】従来のゴンドラ装置を示す側面図である。
【発明を実施するための形態】
【００１５】
この発明に係る可搬式ゴンドラの離隔距離保持装置の実施形態を、図１乃至図７に基づいて説明する。
図１はゴンドラの設置状況を示す全体説明図で、１は浮屋根式タンク、２は底板、３は側板、４は浮屋根、５はセキ板、６は付属品、１６はポンツーンである。
浮屋根４及びポンツーン１６は、底板２上に立設した架台１８上に支持する。
７はゴンドラ、８は吊り支持装置、９は吊りワイヤ、１０は発電機、１１はケーブルである。
１２は離隔距離保持装置で、ゴンドラ７の上部あるいは側面の側板３内面に対向する位置に複数設置し、その先端部は側板３内面に接触している。
離隔距離保持装置１２は、ゴンドラ７のフレームにクランプまたは締付バンド等で着脱可能に設置するか、あるいは溶接等で固定する。
図１は、離隔距離保持装置１２を収縮し、ゴンドラ７と側板３内面側との水平距離が近い状態を示す。側板３の内面工事は、離隔距離保持装置１２を収縮して行う。
【００１６】
図２は、図１の上部近傍を示す側面図である。
７はゴンドラ、８は吊り支持装置、９は吊りワイヤである。
図２のゴンドラ７は側板３の高さ方向上部または中間部に位置し、離隔距離保持装置１２を収縮している状況を示す。
側板３の内面工事を行う際は、離隔距離保持装置１２を収縮する。
【００１７】
図３は、離隔距離保持装置を使用してゴンドラをポンツーン上に載置する順序を示す側面図である。
５はセキ板、６は付属品、７はゴンドラ、８は吊り支持装置、９は吊りワイヤ、１６はポンツーンである。
離隔距離保持装置１２を伸長して側板３内面からの水平離隔距離を確保し、浮屋根４上のポンツーン１６内周部にゴンドラ７を載置する。
ゴンドラ７を浮屋根４上に降下する過程で、離隔距離保持装置１２を伸長することにより、セキ板５上方を跨いで、ゴンドラ７をポンツーン１６の内周部に載置することが可能となる。
このように離隔距離保持装置１２を使用することにより、ゴンドラ７をポンツーン１６の外周部から内周部へ引き寄せる際の作業員の労力を軽減することができる。
また、ゴンドラ７をポンツーン１６の内周部に引き寄せる際に吊りワイヤ９や親綱等を引く作業の労力を軽減することが可能となる。
【００１８】
図３の（Ａ）は、ゴンドラ７を降下する過程において、ゴンドラ７下部とセキ板５上部との鉛直距離が近づいている状態を示す。
（Ａ）の位置までゴンドラ７を降下した段階で離隔距離保持装置１２を伸長して、ゴンドラ７と側板３内面側からの水平離隔距離を確保して、ゴンドラ７をセキ板５の上方を跨いで（Ｂ）の位置まで水平移動する。
ゴンドラ７を（Ｂ）の位置まで水平移動したのち、再びゴンドラ７を降下して、付属品６の無い（Ｃ）の位置へ載置する。
【００１９】
図４は、ゴンドラ７をポンツーン１６上に載置する斜視説明図であり、ゴンドラ７上部のフレームに２個の離隔距離保持装置１２を設置した例である。
５はセキ板、６は付属品、１６はポンツーンである。
７はゴンドラ、９は吊りワイヤであり、離隔距離保持装置１２を伸長して側板３内面からの水平離隔距離を確保し、ゴンドラ７を降下して、ポンツーン１６の内周部にゴンドラ７を載置する。
この離隔距離保持装置１２は、ゴンドラ７がポンツーン１６上に載置した状態において、セキ板５に干渉しない位置に設ける。
離隔距離保持装置１２の取付位置や個数は決まっておらず、ゴンドラ７の上部あるいは側面の側板３内面に対向する位置に複数設置する。
離隔距離保持装置１２は、ゴンドラ７のフレームにクランプまたは締付バンド等で着脱可能に設置するか、あるいは溶接等で固定する。
【００２０】
図５は離隔距離保持装置の第１の実施形態例の説明図で、開閉式の伸縮機構１２ａと、操作部１２ｂと、固定螺子受部ナット１２ｃと、支持螺子ロッド１２ｄとで形成されている離隔距離保持装置１２の平面図を示しており、当該離隔距離保持装置１２は、操作部１２ｂを人力で回転することにより、伸縮機構１２ａが開閉する構造である。
１３はガイドローラで、側板３内面の表面に接して円滑に回転する。
図示例のように離隔距離保持装置１２を開閉構造とする場合は、伸縮機構１２ａを水平方向に開閉する構造とし、伸縮機構１２ａが開いた状態でゴンドラ７を載置する際に、セキ板５に伸縮機構１２ａが干渉しないようにする。
また、ゴンドラ７とセキ板５の高さの差が大きい場合、伸縮機構１２ａを開いた状態でセキ板５に干渉しないようであれば、離隔距離保持装置１２の伸縮機構１２ａを鉛直方向に開閉する構造としても良い。
離隔距離保持装置１２の伸縮機構１２ａは、ゴンドラ７に搭乗している作業員が操作部１２ｂを人力で回して自在に開閉可能であるため、距離センサやコンピューター等の高価で大掛かりな設備を使用せずに、容易にゴンドラ７と側板３内面との水平離隔距離を調節することが可能である。
側板３内面に接するガイドローラ１３は、弾力性を有する合成ゴム材や合成樹脂材等で形成し、ゴンドラ７を円滑に降下させると共に、側板３内面上を傷つけることがない形状とする。また、ガイドローラ１３を上記の部材で形成することにより、揺れや振動を弾力的に吸収させてゴンドラ７の動きを安定させ、ゴンドラ７上での作業を安全に行うことを可能とする。
【００２１】
図６は離隔距離保持装置の第２の実施形態例で、離隔距離保持装置１４を有するゴンドラ７を側板３の高さ方向上部または中間部に吊りワイヤ９で吊り下げた状態を示す。
離隔距離保持装置１４は側板３内面に向けてゴンドラ７の上部または側面のフレームに設置する。また、離隔距離保持装置１４は、ゴンドラ７のフレームにクランプまたは締付バンド等で着脱可能に設置するか、あるいは溶接等で固定する。
【００２２】
図１〜４、６に示す、ゴンドラ７の下部に設ける警報装置１７には対象物との間の距離を検出する距離センサが備わっており、それが所定の距離より小さくなると、警報音または警光灯でゴンドラ７に搭乗している作業員に報知する機構を備えている。
前記警報装置１７は、ゴンドラ７の使用環境の明るさや騒音の程度により、警光灯または警報音を増大する機構を備えている。また、前記警報装置１７は、必要に応じて前記警光灯と前記警報音の両方を備えた機構とする。
ゴンドラ７下部のフレームに鉛直方向に警報装置１７を設けることにより、ゴンドラ７下部とセキ板５上部間の鉛直距離を検出することが可能となり、その距離が所定の距離より小さくなった段階で、当該警報装置１７が警光灯や警報音を発してゴンドラ７に搭乗している作業員に報知するので、当該作業員が操作部１２ｂ、１４ｂを操作する時期を知ることが可能となり、作業員が操作する時期を間違えることなく、ゴンドラ７とセキ板５を干渉せずに安全にゴンドラ７をポンツーン１６上に載置することが可能となる。
また、ゴンドラ７下部のフレームに水平方向に警報装置１７を設けることにより、ゴンドラ７と側板３内面側との間の水平距離を検出することが可能となり、ゴンドラ７と側板３内面側との距離が所定の距離より小さくなった段階で警報装置１７が警報音や警光灯を発するため、ゴンドラ７と側板３が接触して損傷したり、ゴンドラ７に搭乗している作業員が衝撃により怪我をすることを未然に防止することが可能となる。
ゴンドラ７に警報装置１７を備えることにより、離隔距離保持装置１２、１４の扱いに慣れていない初心者の者も容易に操作することが可能となる。
【００２３】
図７は、第２の実施形態例の離隔距離保持装置１４の構造を示す説明図であり、離隔距離保持装置１４をゴンドラ７上部のフレームに固定した例を示す。この離隔距離保持装置１４は伸縮機構１４ａとシリンダー室１４ｃからなり、ピストン状に伸縮する構造で、ハンドルやジャッキによる操作部１４ｂを有する。
伸縮機構１４ａは、油圧、空気等の動力源により、伸縮する構造とする。
１５はガイドローラで、側板３内面の表面に接して円滑に回転する構造とする。
図示はしないが、離隔距離保持装置１４を利用してゴンドラ７を降下する際は、この離隔距離保持装置１４を伸長して水平離隔距離を確保し、ゴンドラ７をポンツーン１６の内周部に載置する。
万が一ゴンドラ７から垂れ下がるケーブル１１等の線材が浮屋根４上のポンツーン１６の外周部の付属品６に絡まっても、線材の回収や巻き取り作業において、ゴンドラ７が障害になることがなく、作業時間を短縮する。また、線材の回収や巻き取り作業を付属品が少ない場所で行うことが可能となり、ゴンドラ作業に伴う事故の発生確率を低減することが可能となる。
【産業上の利用可能性】
【００２４】
この発明に係る可搬式ゴンドラの離隔距離保持装置は、貯槽の側板に使用するゴンドラのみならず、建築物に使用するゴンドラにも有効利用することが可能である。
【符号の説明】
【００２５】
１  浮屋根式タンク
２  底板
３  側板
４  浮屋根
５  セキ板
６  付属品
７  ゴンドラ
８  吊り支持装置
９  吊りワイヤ
１０  発電機
１１  ケーブル
１２  離隔距離保持装置
１３  ガイドローラ
１４  離隔距離保持装置
１５  ガイドローラ
１６  ポンツーン
１７  警報装置
１８  架台
【図１】
2016030986.tif 000003
【図２】
2016030986.tif 000004
【図３】
2016030986.tif 000005
【図４】
2016030986.tif 000006
【図５】
2016030986.tif 000007
【図６】
2016030986.tif 000008
【図７】
2016030986.tif 000009
【図８】
2016030986.tif 000010